(57)【要約】【課題】  上前立て部の開口部が目立たず、外観も損なわず、手の不自由な人や、高齢者や子供でも男性の陰部を取り出し易くするとともに、下着を着用時に男性の陰部が見え難い男性用下着を提供する。【解決手段】  下着本体１と、この下着本体１に設けられ上前立て部３と下前立て部４からなる合わせ目部２と、上前立て部３と下前立て部４の間に形成される開口部５と、上前立て部３の裏側に設けられた保持布６と、この保持布６と上前立て部３の間に挿着される補助板７とを備える。【選択図】図１
2011174213.tif 000002
【特許請求の範囲】
【請求項１】
下着本体と、この下着本体に設けられ上前立て部と下前立て部からなる合わせ目部と、上記上前立て部と下前立て部の間に形成される開口部と、上記上前立て部の裏側に設けられた保持布と、この保持布と上記上前立て部の間に挿着される補助板とを備えたことを特徴とする男性用下着。
【請求項２】
上記合わせ目部で下前立て部の一番狭い端部の横幅を、上前立て部の横幅の約半分に形成したことを特徴とする請求項１記載の男性用下着。
【請求項３】
請求項１において、上記保持布や上記補助板を使用せず、布に、合成樹脂塗料をプリントしたことを特徴とする請求項１記載の男性用下着。
【請求項４】
請求項１において、上記保持布や上記補助板を使用せず、布に、例えば、綾織などで織り込ませたことを特徴とする請求項１記載の男性用下着。
【請求項５】
請求項１において、上記保持布や上記補助板を使用せず、布に、形態安定加工、例えばアンモニア樹脂などによる高圧・高温処理を施したことを特徴とする請求項１記載の男性用下着。
【請求項６】
請求項１において、上記保持布や上記補助板を使用せず、布に、不織布などの接着芯を張り付けたことを特徴とする請求項１記載の男性用下着。
【発明の詳細な説明】
【技術分野】
【０００１】  本発明は、男性用下着の構造に関するものである。
【背景技術】
【０００２】  従来の男性用下着は、一般的なものとして上前立て部と下前立て部の合わせ目部が大変広く、小用時に男性の陰部を取り出し難い構造のものがある。また、合わせ目部が狭く開口部にボタンやホックが付いているものもある。
また、従来の男性用下着は、すなわちブリーフは前面に２枚の布が重ね合わされてなる重合部が設けられ、縫い付けられていない２枚の布の間に開口縁が設けられ、この開口縁の下端がブリーフの下端に達しているものがある。（例えば、特許文献１参照。）
また、従来の男性用下着すなわちパンツは、パンツ本体上に横開き式出口を備えたものもある。（例えば、特許文献２参照。）
【先行技術文献】
【特許文献】
【０００３】
【特許文献１】  実用新案登録第３０７０８１５号公報
【特許文献２】  実用新案登録第３０９５９６９号公報
【発明の概要】
【発明が解決しようとする課題】
【０００４】  上述のような一般的な従来の男性用下着は、上前立て部と下前立て部の合わせ目部が広く、男性の陰部を取り出し難いという問題点があった。特に、手が不自由な人や高齢者、子供では、取出しが更に困難であり、小用時に困ることが多いと言う問題点があった。また、上前立て部と下前立て部の合わせ目部が狭く開口部にボタンやホックがついたものは、下着を着用時において、ボタンやホックを嵌めたり外したりするのが億刧であり、外したままにしていることが多く、着用時に男性の陰部が見え易いと言う問題点があった。【０００５】  また、上述の特許文献１の男性用下着は、下前部の改良はなされておらず、また、開口縁が広すぎるので外観上の見栄えが悪い言う問題点があった。【０００６】  さらに、特許文献２の男性用下着は、横開き式出口に上方向から手指を入れ、手指の操作で陰部を出し入れさせるのが難しいと言う問題点もあった。【０００７】  本発明は、上述のような問題点を解消するためになされたもので、上前立て部の開口部が目立たず、外観も損なわず、手の不自由な人や高齢者、子供でも男性の陰部を取り出し易くするとともに、下着を着用時に男性の陰部が見え難い男性用下着を提供することを目的とする。
【課題を解決するための手段】
【０００８】  本発明は上述のような問題点を解決するためになされたもので、下着本体と、この下着本体に設けられ上前立て部と下前立て部からなる合わせ目部と、上記上前立て部と下前立て部の間に形成される開口部と、上記上前立て部の裏側に設けられた保持布と、この保持布と上記上前立て部の間に挿着される補助板とを備えたものである。【０００９】  また、上記合わせ目部で下前立て部の一番狭い部分の端部の横幅を、上前立て部の横幅の約半分に形成したものである。【００１０】  また、保持布補助板を使用せず、上前立て部の布に、合成樹脂塗料をプリントしたものである。【００１１】  また、保持布補助板を使用せず、上前立て部の布に、例えば、綾織などで織り込ませたものである。【００１２】  また、保持布補助板を使用せず、上前立て部の布に、形態安定加工、例えばアンモニア樹脂などによる高圧・高温処理を施したものである。【００１３】  さらにまた、保持布補助板を使用せず、上前立て部の布に、不織布などの接着芯を張り付けたものである。【００１４】
【発明の効果】
【００１５】  この発明の男性用下着は、上前立て部に縮まない効果のあるものを設けて、下前立て部の一番狭い端部の横幅を、上前立て部の横幅の約半分に形成されたもので、開口部が目立たず外観を損なうことなく、男性の陰部が取り出し易くなる。
さらに、手が不自由な人や高齢者、子供でも、小用時に男性の陰部を取り出し易くなる。
【図面の簡単な説明】
【００１６】
【図１】  本発明の一実施例を示す男性用下着の正面図である。
【図２】  図１の線Ａ−Ａに沿う断面図である。
【図３】  一実施例を示す男性用下着の正面図である。
【図４】  図３の線Ｂ−Ｂに沿う断面図である。
【発明を実施するための形態】
【実施例１】
【００１７】  図１は、本発明の一実施例を示す男性用下着の正面図である。図２は、図１の線Ａ−Ａに沿う断面図である。図１において、１０は男性用下着であり、下着本体１と、この下着本体１上に横向きに開口された後記する開口部５を有する合わせ目部２で構成されている。合わせ目部２は、上前立て部３と下前立て部４の二枚の布が重ねられ、この二枚の布は上端部２ａと下端部２ｂが縫い合わされている。
また、図１に示すとおり（図の表側から見て）、下前立て部４の右側部は縫い付けられておらず、上前立て部３の左側部も縫い付けられていない状態となっている。【００１８】  そのため、下前立て部４と上前立て部３は引き離すことができ、引き離された布の間に男性の陰部の通路となる開口部５が形成されている。【００１９】  また、合わせ目部２の上前立て部３の裏側には保持布６が設けられ、この保持布６と上前立て部３との間に上下方向に細長い合成樹脂製の補助板７が挿着されている。この補助板７は弾性があり、上前立て部３は縦には湾曲するけれども横には曲がり難い構造になっているため、何時までも元の形状を保持して開口部５を閉じるので、男性用下着１０の前方から見ても男性の陰部が見え難くなる。【００２０】  上述のように構成された男性用下着１０は、上前立て部３と下前立て部４からなる合わせ目部２と、上前立て部３と下前立て部４の間に形成される開口部５と、上前立て部３の裏側に設けられた保持布６と、この保持布６と上前立て部３の間に挿着される補助板７とを備えたので、合わせ目部２に生じる開口部５から男性の陰部をスムーズに取り出す事ができる。特に、手先が不自由な人や、高齢者や子供でも小用時に男性の陰部の取り出しが大変容易になる。【００２１】  なお、保持布補助板を使用せず、すなわち上前立て部３の布の表側に合成樹脂塗料をプリントしても良い。【００２２】  また、保持布補助板を使用せず、すなわち上前立て部３の布に、綾織などで織り込んでも良い。【００２３】  また、保持布補助板を使用せず、すなわち上前立て部３の布に、形状記憶加工例えば、アンモニア樹脂などによる高圧・高温処理を施しても良い。【００２４】  また、保持布補助板を使用せず、すなわち上前立て部３の布に、不織布などの接着芯を張り付けても良い。
【実施例２】
【００２５】  図３は、この本発明の実施例２を示す男性用下着の正面図である。図４は、図３の線Ｂ−Ｂに沿う断面図である。実施例１と同様なものは、その説明を省略する。図３、図４において、８は下前立て部４の縫い付けられていない端部であり、図１に示す下前立て部４よりも湾曲して形成され、合わせ目部２の上前立て部３と下前立て部４の二枚の布が重なり合う下前立て部４の一番狭い端部８からの横幅Ｌを、上前立て部２の横幅の約半分ぐらいに形成している。【００２６】  この発明の実施例２の男性用下着１０は、合わせ目部２に形成される下前立て部３の端部８の横幅Ｌが狭く形成されているので、合わせ目部２に生じる開口部５から男性の陰部を更にスムーズに取り出す事ができる。特に、手が不自由な人や、高齢者や子供でも小用時に男性の陰部の取り出しが大変容易になる。
【符号の説明】
【００２７】  １  下着本体、２  合わせ目部、３  上前立て部、４  下前立て部、
５  開口部、６  保持布、７  補助板、８  端部、１０  男性用下着
【図１】
2011174213.tif 000003
【図２】
2011174213.tif 000004
【図３】
2011174213.tif 000005
【図４】
2011174213.tif 000006